(57)【要約】【課題】開封済みであること等を確実に表示することができ、隙間が小さい状態で再封することができ、異物の混入を防いで残りの収容物を衛生的に保管することができる表示付き包装箱を提供する。【解決手段】角筒体を形成する複数の側面板１６，１８，２０と、角筒体の一方の端部を閉鎖する蓋片５２を有する。側面板１６，２０の蓋片５２側の端部に、折罫線４０，６６を介して設けられた連続片３８，６４を備える。連続片３８，６４の一側縁部は、蓋片５２に折罫線６１，６８を介して連続している。連続片３８，６４には、側面板１６，２０及び蓋片５２から区切られる一対の折罫線４０，６１，６６，６８に囲まれた角部を分割する、折り曲げ可能な破断線４２，７０を備える。連続片３８，６４は、破断線４２，７０で２つに区切られ、側面板１６，２０に連続する部分はフラップ部３８ａ，６４ａとなり、蓋片５２に連続する部分は表示部３８ｂ，６４ｂとなる。【選択図】図１
0003224507.tif 000002
【実用新案登録請求の範囲】
【請求項１】
一枚の箱体形成片から成り、前記箱体形成片は、互いに平行に連接され組み立て状態で角筒体を形成する複数の側面板と、前記１つの側面板の、前記連接方向に対して直角方向の端部に連接され組み立て状態で前記角筒体の一方の端部を閉鎖する蓋片と、前記蓋片が設けられた前記側面板に隣接する側面板の、前記蓋片側の端部に折罫線を介して設けられた連続片が設けられ、
前記連続片の一側縁部は、前記蓋片に折罫線を介して連続し、前記連続片には、前記側面板及び前記蓋片から区切られる一対の折罫線に囲まれた角部を分割する方向に沿う破断線が設けられ、
前記連続片は、前記破断線で２つに区切られ、前記側面板に連続する部分はフラップ部となり、前記蓋片に連続する部分は表示部となり、前記表示部の表面には、文字や絵柄を印刷した印刷部が設けられ、
組み立て状態で、前記表示片は前記破断線で二つ折りされて前記蓋片の裏面に収まり、前記蓋部が開封された後、使用者が前記破断線を破断し、前記表示部は、前記蓋片の外側に突出して前記印刷部が視認可能となり、前記フラップ部は、前記蓋片の裏面に重ねて閉鎖され、前記蓋片を再封可能としたことを特徴とする表示付き包装箱。
【請求項２】
前記連続片は、前記蓋片の両側に一対が設けられている請求項１記載の表示付き包装箱。
【請求項３】
前記側面板と前記蓋片から区切られ前記一対の折罫線に囲まれた前記角部は略９０°であり、前記破断線は、９０°を２等分する角度に設けられ、前記各折罫線に対して略４５°に交差する請求項１記載の表示付き包装箱。
【請求項４】
前記印刷部は、開封済みであることを示す文字や絵柄で設けられている請求項１記載の表示付き包装箱。
【考案の詳細な説明】
【技術分野】
【０００１】
本考案は、開封済みであること等を示す表示を備えた表示付き包装箱に関する。
【背景技術】
【０００２】
従来、例えば特許文献１に開示されているように、組み立て状態で、角筒体を形成する側面板を備え、第一の側面板の連接方向に対して直角方向の端部に延設され、角筒体の一方の端部を塞ぐ蓋片を備え、第一の側面板に隣接する第二の側面板の蓋片側の端部、及び蓋片の側端部に挟まれた角部に設けられ、第二の側面板及び蓋片に連続する表示片を備える包装箱がある。表示片と第二の側面板との境界部に、破断線が設けられている。この包装箱は、蓋片が開封された後、使用者が破断線を破断して再封すると、表示片が第二の側面板の外側に吊り下がり、外から視認可能になる。
【先行技術文献】
【特許文献】
【０００３】
【特許文献１】実用新案登録第３２０６１９９号公報
【考案の概要】
【考案が解決しようとする課題】
【０００４】
特許文献１の包装箱の場合、破断線を破断して再封すると、表示片は第二の側面板の外側に吊り下がり、フラップとしての機能はなくなるため、蓋片と第二の側面板との間に隙間が生じ、異物が混入する恐れがある。
【０００５】
この考案は、上記背景技術の問題点に鑑みてなされたものであり、開封済みであること等を確実に表示することができ、隙間が小さい状態で再封することができ、異物の混入を防いで残りの収容物を衛生的に保管することができる表示付き包装箱を提供することを目的とする。
【課題を解決するための手段】
【０００６】
本考案は、一枚の箱体形成片から成り、前記箱体形成片は、互いに平行に連接され組み立て状態で角筒体を形成する複数の側面板と、前記１つの側面板の、前記連接方向に対して直角方向の端部に連接され組み立て状態で前記角筒体の一方の端部を閉鎖する蓋片と、前記蓋片が設けられた前記側面板に隣接する側面板の、前記蓋片側の端部に折罫線を介して設けられた連続片が設けられている表示付き包装箱である。前記連続片の一側縁部は、前記蓋片に折罫線を介して連続している。前記連続片には、前記側面板及び前記蓋片から区切られる一対の折罫線に囲まれた角部を分割する方向に沿う折り曲げ可能な破断線が設けられている。前記連続片は、前記破断線で２つに区切られ、前記側面板に連続する部分はフラップ部となり、前記蓋片に連続する部分は表示部となる。前記表示部の表面には、任意の文字や絵柄を印刷した印刷部が設けられている。この表示付き包装箱は、組み立て状態で、前記表示片は前記破断線で二つ折りされて前記蓋片の裏面に収まり、前記蓋部が開封された後、使用者が前記破断線を破断し、前記表示部は、前記蓋片の外側に突出して前記印刷部が視認可能となり、前記フラップ部は、前記蓋片の裏面に重ねて閉鎖され、隙間が小さい状態で前記蓋片を再封することができる。前記連続片は、前記蓋片の両側に一対が設けられているとよい。
【０００７】
前記側面板と前記蓋片から区切られる一対の折罫線に囲まれた前記角部は略９０°であり、前記破断線は、９０°を２等分する角度に設けられ、前記各折罫線に対して略４５°に交差する。
【０００８】
前記印刷部は、例えば開封済みであることを示す文字や絵柄で設けられている。
【考案の効果】
【０００９】
本考案の表示付き包装箱は、例えば開封済みであること等を示す表示を、外から容易かつ確実に視認することができる。しかも、表示片が箱体の側面に吊り下がるような状態になるので、箱体を複数段に重ねて保管された時でも、どの箱体に関する表示なのかが非常にわかりやすく、使用者が誤認しにくいものである。
【００１０】
また、組み立て時、表示片は、折罫線等で折り曲げることによって容易に箱体の中に収めることができるので、組み立ての作業性もよい。そして、隙間が小さい状態で再封することができ、異物の混入を防いで残りの収容物を衛生的に保管することができる
【図面の簡単な説明】
【００１１】
【図１】この考案の一実施形態の表示付き包装箱の開封した状態を示す斜視図（ａ）と、破断線を切断した状態を示す斜視図（ｂ）と、表示部を表示して再封した状態を示す斜視図（ｃ）である。
【図２】この実施形態の表示付き包装箱の展開図である。
【図３】この実施形態の表示付き包装箱の斜視図である。
【考案を実施するための形態】
【００１２】
以下、この考案の表示付き包装箱の一実施形態について図面に基づいて説明する。この実施形態の表示付き包装箱１０は、図１、図３に示すように、略直方体の箱体であり、厚紙等の素材で成る一枚の箱体形成片１２を組み立てることによって形成される。
【００１３】
箱体形成片１２は、図２に示すように、互いに平行に連接された４つの側面板１４，１６，１８，２０を有している。４つの側面板１４，１６，１８，２０は、連接方向と直交する幅方向の長さが同じであり、連接方向の長さは、側面板１４，１８が長くて互いにほぼ等しく側面板１６，２０が短くて互いにほぼ等しい。さらに、連接方向の側面板１４側の端部には、組み立て状態で側面板２０の裏面の端部に糊付けされる糊付け片２２が設けられている。糊付け片２２、側面板１４，１６，１８，２０は、各々折罫線２４，２６，２８，３０で区切られている。
【００１４】
側面板１４において、側面板同士の連接方向に対して直角な方向の一方の端部１４ａには、使用者が開封する際に指で押圧する開封用押圧部３２が設けられている。開封用押圧部３２は、端部１４ａの中央部とＵ字状の破断線３４に囲まれて周囲と区切られている。側面板１４の、端部１４ａとは反対側の端部には、台形状の外側底片３６が延設され、折罫線３７で側面板１４と区切られている。外側底片３６の延出方向長さは、側面板１６の連接方向長さと同じか、又は僅かに短い。
【００１５】
側面板１６の、側面板１４の端部１４ａに隣接する部分には、連続片３８が折罫線４０で区切られて設けられている。連続片３８は変形した矩形であり、折罫線２８の延長線上に側縁部が位置し、この側縁部は後述する蓋片５２の、折罫線２８の延長線上に位置する側縁部に、折罫線６１を介して連続している。連続片３８の、折罫線４０と折罫線６１で囲まれた角部は略９０°である。連続片３８には、この角部をほぼ２等分する方向、つまり折罫線４０又は折罫線６１に対して略４５°の角度に位置する破断線４２が設けられている。破断線４２の先端は、折罫線４０と折罫線６１で囲まれた角部の、対角線に位置する角部に達し、対角線に位置する角部は矩形に切り欠かれた形状である。連続片３８は、破断線４２により２つに区切られ、折罫線４０に連続する部分はフラップ部３８ａとなり、折罫線６１に連続する部分は表示部３８ｂとなる。表示部３８ｂの表面には、「開封済」の文字を印刷した印刷部４４が設けられている。
【００１６】
側面板１６の、折罫線４０とは反対側の端部には、サイドフラップ４６が延設され、折罫線４８で側面板１６と区切られている。サイドフラップ４６には、折罫線４８とは反対側の端部と、折罫線２６に連続する側縁部とで囲まれた角部を面取りするような傾斜した切断線５０が設けられている。
【００１７】
側面板１８の、側面板１６の折罫線４０に連接する部分には、略長方形の蓋片５２が延設され、折罫線５４で側面板１８と区切られている。蓋片５２の延出方向長さは、側面板１６の連接方向長さとほぼ同じである。蓋片５２の先端部には、差し込み片５６が延設され、折罫線５８で蓋片５２と区切られて設けられている。蓋片５２の、折罫線２８の延長線上に位置する側縁部には、連続片３８が折罫線６１で区切られて連続している。
【００１８】
側面板１８の、折罫線５４とは反対側の端部には、台形状の内側底片６０が延設され、廃棄用の破断線６２で側面板１８と区切られている。内側底片６０の大きさは、外側底片３６よりも僅かに小さい。
【００１９】
側面板２０の、側面板１８の折罫線５４に連接する部分には、連続片６４が折罫線６６で区切られて設けられている。連続片６４は、連続片３８とほぼ同じ形状であり、変形した矩形で、折罫線３０の延長線上に位置する側縁部は、蓋片５２の側縁部に折罫線６８で区切られて連続している。連続片６４の折罫線６６と折罫線６８で囲まれた角部は略９０°であり、連続片６４には折罫線６６と折罫線６８に対して略４５°の破断線７０が設けられている。破断線７０の先端は、対角線に位置する角部に達し、対角線に位置する角部は矩形に切り欠かれた形状である。連続片６４は、破断線７０により２つに区切られ、折罫線６６に連続する部分はフラップ部６４ａとなり、折罫線６８に連続する部分は表示部６４ｂとなる。表示部６４ｂの表面には、「開封済」の文字を印刷した印刷部４４が設けられている。
【００２０】
側面板２０の、折罫線６６とは反対側の端部には、サイドフラップ７２が延設され、折罫線７４で側面板２０と区切られている。
【００２１】
次に、表示付き包装箱１０の組み立て方法の一例を説明する。ここでは、箱体形成片１２の表面が凸になる折り方を正折り、裏面が凸になる折り方を逆折りと称する。
【００２２】
まず、折罫線２６を正折りして糊付け片２２の表面に糊を塗布し、次に折罫線３０を正折りし、糊付け片２２を側面板２０の裏面の端部に糊付けする。箱体形成片１２は、この折り畳まれた状態で出荷される。
【００２３】
次に、商品等の収容物を包装する工場等で立体的に組み立てる。まず、折罫線２４，２６，２８，３０を各々９０°に正折りし、四角形の角筒体７６を形成する。その後、角筒体７６の一端部を塞ぐ底部を設けるため、折罫線４８，７４でサイドフラップ４６，７２を各々９０°に正折りし、破断線６２で内側底片６０を９０°に正折りする。その後、外側底片３６の裏面中央部に糊を塗布し、折罫線３７で外側底辺３６を９０°に正折りし、外側底片３６を内側底片６０の表面に糊付けし、外側底片３６と内側底片６０が一体になった底部が形成される。これで、角筒体７６の一端部が閉鎖された状態になり、開放している側の端部から中に収容物を入れる。
【００２４】
収容物を入れると、角筒体７６の開放している側の端部を塞ぐため、差し込み片５６の表面中央部に糊を塗布し、折罫線５８で差し込み片５６を９０°に正折りする。次に、折罫線５４で蓋片５２を９０°に正折りするとともに、連続片３８，６４を折り畳むため、破断線４２，７０を逆折りし、折罫線４０，６１，６６，６８を正折りする。すると、連続片３８のフラップ部３８ａと表示部３８ｂが互いに折り重なり、連続片６４のフラップ部６４ａと表示部６４ｂが互いに折り重なり、蓋片５２の裏面側に、各々配置される。そして、差し込み片５６を側面板１４の裏面側に差し込んで開封用押圧部３２の裏面に糊付けし、蓋部が形成される。これで商品の包装作業が終了して図３に示す組み立て状態となり、この状態で出荷され、商店等で販売される。組立状態では、連続片３８，６４が箱体内に納まっているので、「開封済」の印刷部４４は外から見えない。なお、蓋片５２側を先に閉じて、底部から収容物を入れた後、サイドフラップ４６，７２及び内側底片６０を内側に９０°に折り、外側底片３６に糊付けして内側蓋片６０に重ねて封止してもよい。
【００２５】
使用者が表示付き包装箱１０の蓋部を開封する時は、まず、側面板１４の開封用押圧部３２を指で押して破断線３４を破断させ、開封用押圧部３２を側面板１４から分離させる。そして、差し込み片５６及び蓋片５２を引き上げると、連続片３８，６４の、二つ折りされていたフラップ部３８ａ，６４ａと表示部３８ｂ，６４ｂが開かれ、図１（ａ）に示すように、蓋片５２等で塞がれていた角筒体７６の一端部が開放し、中の収容物を取り出すことができる。蓋片５２を、より大きい角度で開放するためには、連続片３８，６４の、破断線４２，７０を切断して連続片３８，６４をおのおの２分割する。すると図１（ｂ）に示すように、蓋片５２は折罫線５４で逆折りすることが可能となり、大きい角度で開放することができる。連続片３８，６４は、破断線４２，７０を切断することでフラップ部３８ａ，６４ａと表示部３８ｂ，６４ｂとに分割される。なお、開封用押圧部３２は、側面板１４から分離するが、差し込み片５６に糊付けされているのでゴミにはならない。
【００２６】
その後、開封した蓋部を再封する時、まず、フラップ部３８ａ，６４ａを折罫線４０，６６で９０度に正折りする。そして、表示部３８ｂ，６４ｂは折罫線４０，６６で折り曲げずに伸ばしたまま、蓋片５２から大きく離間させた状態にし、蓋片５２を折罫線５４で９０°に正折りし、両側に位置するフラップ部３８ａ，６４ａを覆って閉じ、差し込み片５６を側面板１４とフラップ部３８ａ、６４ａとの隙間に差し込んで係合させる。これで、図１（ｃ）に示すように、角筒体７６の一端部が閉鎖されるとともに、表示部３８ｂ，６４ｂが側面板１６，２０の外側に吊り下がるように支持され、表面に「開封済」と印刷された印刷部４４が現れる。表示部３８ｂ，６４ｂが吊り下がるように支持されるのは、折罫線６１，６８が組み立て状態で正折りされ、表示部３８ｂ，６４ｂの基材（厚紙等）に折り曲げ方向のクセがついているからであり、表示部３８ｂ，６４ｂは、蓋片５２よりも上方に起立せず、下向きに吊り下げられた状態になる。
【００２７】
表示付き包装箱１０を破棄する時は、まず、折罫線２８を、側面板１４の裏面の中央に近づくように押して角筒体７６をつぶすと、側面板１８と内側底片６０の間の廃棄用の破断線６２が切断される。内側底片６０は側面板１８から分離し、外側底片３６は内側底片６０が糊付けされた状態で開き、底部が分解する。これで、底片（外側底片３６と内側底片６０）と、サイドフラップ４６，７２を引き上げることができ、表示付き包装箱１０を平坦に折り畳んでコンパクトに廃棄することができる。サイドフラップ４６には切断線５０が設けられ、表示付き包装箱１０をつぶす時に底片に押されて容易に曲げられて、円滑に引き抜くことができる。
【００２８】
以上説明したように、表示付き包装箱１０は、開封後に再封された時、表示部３８ｂ，６４ｂに印刷された「開封済」の印刷部４４が外から視認可能になり、蓋部が開封されたことを確実に示すことができる。しかも、表示部３８ｂ，６４ｂが、側面板１６，２０の外側面と略平行に吊り下がるような状態になるので、箱体を複数段に重ねて保管されたときでも、開封された包装箱の側面に表示部３８ｂ又は表示部６４ｂが位置し、どの箱体に関する表示なのかが非常に分かりやすく、使用者が誤認しにくい。表示部３８ｂ，６４ｂは三角形状であるが、先端が切り欠かれているため、折れ曲がり難く、他の部材に引っかかることを防ぐ。
【００２９】
また、連続片３８，６４は、破断線４２，７０を切断する前は破断線４２，７０で折り曲げることで容易に箱体の中の収めることができるので、組み立て時の作業効率をさらに向上させることができる。蓋片５２と、側面板１６，２０の間に隙間ができず、異物の混入を防ぐことができる。開封後に、断線４２，７０を切断して表示部３８ｂ，６４ｂを外側に出した状態でも、フラップ部３８ａ，６４ａを蓋片５２の裏面に重ねて再封することができ、側面板１６，２０の間に隙間ができず、異物の混入を防ぐことができる。
【００３０】
なお、本考案の表示付き包装箱は、上記実施形態に限定されるものではない。例えば、開封済みであることを示す印刷部は、「開封済」の文字以外に絵柄等を印刷して表示する方法、表示部を着色することによって表示する方法、表示部の形状デザインによって表示する方法等、他の方法で設けられてもよい。さらに、表示内容は、開封済みであることを示す以外に、内容物の表示や注意事項、開封に伴う注意事項であってもよい。各折罫線には、折り曲げ易いように、切込線が設けられてもよい。組み立てる順番や廃棄方法は、上記以外でも良い。
【符号の説明】
【００３１】
１０  表示付き包装箱
１２  箱体形成片
１６，１８，２０  側面板
３８，６４  連続片
３８ａ，６４ａ  フラップ部
３８ｂ，６４ｂ  表示部
４０，６１，６６，６８  折罫線
４２，７０  破断線
４４  印刷部
５２  蓋片
【図１】
0003224507.tif 000003
【図２】
0003224507.tif 000004
【図３】
0003224507.tif 000005
【手続補正書】
【提出日】令和1年10月29日(2019.10.29)
【手続補正１】
【補正対象書類名】明細書
【補正対象項目名】０００６
【補正方法】変更
【補正の内容】
【０００６】
本考案は、一枚の箱体形成片から成り、前記箱体形成片は、互いに平行に連接され組み立て状態で角筒体を形成する複数の側面板と、前記１つの側面板の、前記連接方向に対して直角方向の端部に連接され組み立て状態で前記角筒体の一方の端部を閉鎖する蓋片と、前記蓋片が設けられた前記側面板に隣接する側面板の、前記蓋片側の端部に折罫線を介して設けられた連続片が設けられている表示付き包装箱である。前記連続片の一側縁部は、前記蓋片に折罫線を介して連続している。前記連続片には、前記側面板及び前記蓋片から区切られる一対の折罫線に囲まれた角部を分割する方向に沿う折り曲げ可能な破断線が設けられている。前記連続片は、前記破断線で２つに区切られ、前記側面板に連続する部分はフラップ部となり、前記蓋片に連続する部分は表示部となる。前記表示部の表面には、任意の文字や絵柄を印刷した印刷部が設けられている。この表示付き包装箱は、組み立て状態で、前記表示部は前記破断線で二つ折りされて前記蓋片の裏面に収まり、前記蓋片が開封された後、使用者が前記破断線を破断し、前記表示部は、前記蓋片の外側に突出して前記印刷部が視認可能となり、前記フラップ部は、前記蓋片の裏面に重ねて閉鎖され、隙間が小さい状態で前記蓋片を再封することができる。前記連続片は、前記蓋片の両側に一対が設けられているとよい。
【手続補正２】
【補正対象書類名】明細書
【補正対象項目名】０００９
【補正方法】変更
【補正の内容】
【０００９】
本考案の表示付き包装箱は、例えば開封済みであること等を示す表示を、外から容易かつ確実に視認することができる。しかも、表示部が箱体の側面に吊り下がるような状態になるので、箱体を複数段に重ねて保管された時でも、どの箱体に関する表示なのかが非常にわかりやすく、使用者が誤認しにくいものである。
【手続補正３】
【補正対象書類名】明細書
【補正対象項目名】００１０
【補正方法】変更
【補正の内容】
【００１０】
また、組み立て時、表示部は、折罫線等で折り曲げることによって容易に箱体の中に収めることができるので、組み立ての作業性もよい。そして、隙間が小さい状態で再封することができ、異物の混入を防いで残りの収容物を衛生的に保管することができる
【手続補正４】
【補正対象書類名】実用新案登録請求の範囲
【補正対象項目名】請求項１
【補正方法】変更
【補正の内容】
【請求項１】
一枚の箱体形成片から成り、前記箱体形成片は、互いに平行に連接され組み立て状態で角筒体を形成する複数の側面板と、前記１つの側面板の、前記連接方向に対して直角方向の端部に連接され組み立て状態で前記角筒体の一方の端部を閉鎖する蓋片と、前記蓋片が設けられた前記側面板に隣接する側面板の、前記蓋片側の端部に折罫線を介して設けられた連続片が設けられ、
前記連続片の一側縁部は、前記蓋片に折罫線を介して連続し、前記連続片には、前記側面板及び前記蓋片から区切られる一対の折罫線に囲まれた角部を分割する方向に沿う破断線が設けられ、
前記連続片は、前記破断線で２つに区切られ、前記側面板に連続する部分はフラップ部となり、前記蓋片に連続する部分は表示部となり、前記表示部の表面には、文字や絵柄を印刷した印刷部が設けられ、
組み立て状態で、前記表示部は前記破断線で二つ折りされて前記蓋片の裏面に収まり、前記蓋片が開封された後、使用者が前記破断線を破断し、前記表示部は、前記蓋片の外側に突出して前記印刷部が視認可能となり、前記フラップ部は、前記蓋片の裏面に重ねて閉鎖され、前記蓋片を再封可能としたことを特徴とする表示付き包装箱。